(57)【要約】【課題】ディスク装置の内部を省スペース化してその小型化に寄与できる粘性流体封入ダンパーの提供。【解決手段】粘性流体封入ダンパー１２は、密閉容器３の内部にメカニカルシャーシ６の荷重を弾発的に支持する圧縮コイルばね１３を備える。よって吊下げばねを併用しなくても、メカニカルシャーシ６を支持することができ、ディスク装置１９を小型化するのに寄与できる。また、密閉容器３をディスク装置１９に固定すると、可撓部４が原形状に復元して蛇腹部２０を形成する。よって攪拌筒部５は蛇腹部２０によって浮動支持されて三次元方向へ無理なく動くことができ、圧縮コイルばね１３は粘性流体１０に対して抵抗体となったり粘性流体１０を攪拌したりして粘性流体１０の粘性抵抗を生じ、優れた振動減衰効果を発揮できる。【選択図】図１
2007162713.tif 000002
【特許請求の範囲】
【請求項１】
支持体と被支持体とに固定する密閉容器と、前記密閉容器に封入する粘性流体と、を備えており、
前記密閉容器には粘性流体を攪拌する攪拌部と、前記攪拌部を浮動支持するゴム状弾性体でなる可撓部と、を有しており、
そして被支持体の振動を攪拌部により攪拌される粘性流体の粘性抵抗によって減衰する粘性流体封入ダンパーにおいて、
前記密閉容器の内部に被支持体の荷重を弾発的に支持する弾性部材を備えることを特徴とする粘性流体封入ダンパー。
【請求項２】
前記可撓部は、前記密閉容器の非固定時には前記弾性部材の付勢を受けて伸長しており、前記密閉容器を前記支持体と被支持体に固定すると、原形状に復元して蛇腹部を形成する請求項１記載の粘性流体封入ダンパー。
【請求項３】
前記可撓部は、前記密閉容器の非固定時には内方にくびれる湾曲形状であり、前記密閉容器を前記支持体と被支持体に固定すると、被支持体の荷重を受けて攪拌部が密閉容器の内方へ入り込み内方にくびれる湾曲形状が潰れることで蛇腹部を屈曲形成する請求項１記載の粘性流体封入ダンパー。
【請求項４】
前記攪拌部の外周の基端に、前記弾性部材の一端を受ける当接部を有する請求項１〜請求項３何れか１項記載の粘性流体封入ダンパー。
【請求項５】
前記当接部が硬質材でなる請求項４記載の粘性流体封入ダンパー。
【請求項６】
前記攪拌部の外周面に硬質樹脂でなる被覆部を設ける請求項５記載の粘性流体封入ダンパー。
【請求項７】
前記当接部が係止溝である請求項４〜請求項６何れか１項記載の粘性流体封入ダンパー。
【請求項８】
密閉容器における前記攪拌部の対向面に、前記弾性部材の他端を位置決めする係合部を有する請求項１〜請求項７何れか１項記載の粘性流体封入ダンパー。
【請求項９】
前記弾性部材がコイルばねである請求項１〜請求項８何れか１項記載の粘性流体封入ダンパー。
【請求項１０】
前記密閉容器に前記コイルばねの他端が内接する周壁部を設ける請求項９記載の粘性流体封入ダンパー。
【請求項１１】
前記弾性部材が、前記攪拌部の基端側と前記密閉容器における前記攪拌部の対向面との間で弾発的に突っ張る複数本の弾性アーム片である請求項１〜請求項８何れか１項記載の粘性流体封入ダンパー。
【発明の詳細な説明】
【技術分野】
【０００１】
この発明は、車載用、民生用を含めた音響機器、映像機器、情報機器、各種精密機器などに用いられるＣＤ、ＣＤ−ＲＯＭ、ＤＶＤ、ＤＶＤ−ＲＯＭ、ＤＶＤ−ＲＡＭ、光磁気ディスクなどのディスク状記録媒体（以下、ディスクという。）を再生するディスク装置に備える振動減衰装置に関し、特にディスク装置の筐体に内蔵され、ディスクの再生機構を備えるメカニカルシャーシの振動を減衰する粘性流体封入ダンパーに関する。
【背景技術】
【０００２】
ディスク装置は、振動がメカニカルシャーシに作用すると、ディスクからの記録データの読取りにエラーが生じることがある。このためメカニカルシャーシ（被支持体）とメカニカルシャーシを内蔵する筐体（支持体）との間には、振動減衰作用をもつ粘性流体封入のダンパーを介在させている。
【０００３】
このような一従来例による粘性流体封入ダンパー１は、例えば図２０で示すように、ディスク装置２に対して、密閉容器３を構成するゴム状弾性体でなる蛇腹形状の可撓部４に攪拌筒部５が形成されており、ここにメカニカルシャーシ６の取付シャフト７が挿入されて固定される。また密閉容器３を構成する蓋部８は、蓋部８の孔８ａに貫入する取付ねじＮによって筐体９に対して固定される。こうして粘性流体封入ダンパー１はメカニカルシャーシ６と筐体９に取付けられる。そして、密閉容器３に封入した粘性流体１０を攪拌筒部５が攪拌することで振動が減衰される。またメカニカルシャーシ６には、一端を筐体９に取付けた吊下げばね１１の他端が取付けられており、この吊下げばね１１によって筐体９の内部に浮動状態で支持されている（特許文献１、特許文献２）。
【特許文献１】特開２０００−２２０６８１号公報（図３）
【特許文献２】特開２００１−２７１８６７号公報（図９）
【発明の開示】
【発明が解決しようとする課題】
【０００４】
ところで、ディスク装置２は、取付けスペースを小さくするために、より一層の小型化、薄型化が求められている。その一つの方法としてメカニカルシャーシ６と筐体９との隙間をより小さく設定して省スペース化することが検討されている。その具体的な方法は、例えば図２０で示す吊下げばね１１の使用を廃止したり、支持力に乏しい小さな吊下げばね１１を使うようにして、省スペース化を実現することが求められている。しかしながら、図２１で示すように固定される従来の粘性流体封入ダンパー１は、吊下げばね１１を除去したり小さくして支持力が低下すると、図２２で示すようにメカニカルシャーシ６の重量を矢示方向Ｘに受けて可撓部４の蛇腹形状が潰れてしまい、粘性流体封入ダンパー１本来の最適な振動減衰性能が発揮できなくなる。
【０００５】
以上のような従来技術を背景になされたのが本発明で、その目的は、ディスク装置の内部を省スペース化してその小型化に寄与できる粘性流体封入ダンパーを提供することにある。
【課題を解決するための手段】
【０００６】
そして、上記目的を達成する本発明は、以下のように構成される。
【０００７】
すなわち本発明は、支持体と被支持体とに固定する密閉容器と、前記密閉容器に封入する粘性流体と、を備えており、前記密閉容器には粘性流体を攪拌する攪拌部と、前記攪拌部を浮動支持するゴム状弾性体でなる可撓部と、を有しており、そして被支持体の振動を攪拌部により攪拌される粘性流体の粘性抵抗によって減衰する粘性流体封入ダンパーについて、前記密閉容器の内部に被支持体の荷重を弾発的に支持する弾性部材を備えることを特徴とする粘性流体封入ダンパーを提供する。
【０００８】
本発明では、密閉容器の内部に被支持体の荷重を弾発的に支持する弾性部材を備えている。このため、従来例のような被支持体を浮動状態にする吊下げばねの使用を廃止したり、支持力に乏しい小さな吊下げばねを使用する場合でも、被支持体を支持することが可能である。よって省スペース化を実現することができる。また弾性部材は、粘性流体に対して抵抗体となったり粘性流体を攪拌したりして粘性流体の粘性抵抗を生じさせるため、優れた振動減衰効果を発揮できる。
【０００９】
また、前記目的を達成すべく本発明は、以下の粘性流体封入ダンパーを提供する。
【００１０】
第１の本発明は前記粘性流体封入ダンパーについて、前記可撓部は、前記密閉容器の非固定時には前記弾性部材の付勢を受けて伸長しており、前記密閉容器を前記支持体と被支持体に固定すると、原形状に復元して蛇腹部を形成するものである。ここでいう「原形状に復元」には、完全に原形状に復元する場合だけでなく、実質的に原形状に復元する場合も含まれる。
【００１１】
第２の本発明は前記粘性流体封入ダンパーについて、前記可撓部は、前記密閉容器の非固定時には内方にくびれる湾曲形状であり、前記密閉容器を前記支持体と被支持体に固定すると、被支持体の荷重を受けて攪拌部が密閉容器の内方へ入り込み内方にくびれる湾曲形状が潰れることで蛇腹部を屈曲形成するものである。
【００１２】
これら第１、第２の本発明は、密閉容器を支持体と被支持体に固定すると、可撓部が蛇腹部を形成するため、攪拌部が蛇腹部によって浮動支持され、三次元方向に無理なく動くことができる。よって攪拌部が粘性流体を攪拌し優れた振動減衰効果を発揮できる。また第２の発明では、密閉容器の非固定時に可撓部が伸長していない。このため非固定時の状態で放置されても可撓部の強度が劣化し難く、固定（実装）時において可撓部が破れ難い。よって可撓部の耐久性を維持できる。
【００１３】
本発明は前記粘性流体封入ダンパーについて、前記攪拌部の外周の基端に、前記弾性部材の一端を受ける当接部を有している。弾性部材が可撓部と直接接触していると弾性部材と可撓部の擦れによって可撓部を破損してしまうが、弾性部材が当接部に接触しているため弾性部材による可撓部の破損を回避できる。よって、可撓部の耐久性を高めることができる。
【００１４】
本発明は前記粘性流体封入ダンパーについて、前記当接部が硬質材でなるため、当接部に剛性があり、弾性部材との接触による当接部の破損を防止できる。よって密閉容器の耐久性を高めることができる。
【００１５】
本発明は前記粘性流体封入ダンパーについて、前記攪拌部の外周面に硬質樹脂でなる被覆部を設けている。したがって剛性のある被覆部によって攪拌部の外面が保護されるため、弾性部材との接触による攪拌部の破損を防止できる。また攪拌部に収容凹部を設け、その収容凹部に支持体又は被支持体の取付シャフトを挿入した場合、収容凹部が取付シャフトによって被支持体の荷重を受けるが、被覆部が収容凹部を外面から保護しているため、収容凹部が変形せず収容凹部の破損を防止できる。また、仮に収容凹部に破損が生じても被覆部によって覆われているので収容凹部への粘性流体の液洩れを防止できる。
【００１６】
本発明は前記粘性流体封入ダンパーについて、前記当接部が係止溝であるため、弾性部材の一端を確実に固定することができる。よって密閉容器が振幅を受けて大きく変形しても、弾性部材の一端が係止溝から外れず、弾性部材は確実に被支持体の荷重を支持できる。したがって蛇腹部の形状を維持でき、攪拌部が粘性流体を攪拌して優れた振動減衰効果を発揮できる。
【００１７】
本発明は前記粘性流体封入ダンパーについて、密閉容器における前記攪拌部の対向面に、前記弾性部材の他端を位置決めする係合部を有する。つまり、弾性部材の他端が係合部で固定されている。このため、三次元方向に被支持体の荷重がかかっても、弾性部材の他端が攪拌部の対向面上で滑ることがなく、弾性部材が被支持体の荷重を支持できる。よって蛇腹部の形状を維持でき、攪拌部が粘性流体を攪拌して優れた振動減衰効果を発揮できる。
【００１８】
本発明は前記粘性流体封入ダンパーについて、前記弾性部材がコイルばねであるため、三次元方向に対して弾発的な支持力を発揮できる。よって攪拌部が三次元方向に動いても蛇腹部の形状を維持することが可能となる。したがって攪拌部が粘性流体を攪拌して優れた振動減衰効果を発揮できる。
【００１９】
本発明は前記粘性流体封入ダンパーについて、前記密閉容器に前記コイルばねの他端が内接する周壁部を設けている。つまり、コイルばねの他端が周壁部により外周を抑えられている。このため、密閉容器が振幅を受けて大きく変形しても、コイルばねの他端が攪拌部の対向面上で滑ることがなく、コイルばねが被支持体の荷重を支持できる。よって蛇腹部の形状を維持でき、攪拌部が粘性流体を攪拌して優れた振動減衰効果を発揮できる。
【００２０】
本発明は前記粘性流体封入ダンパーについて、前記弾性部材が、前記攪拌部の基端側と前記密閉容器における前記攪拌部の対向面との間で弾発的に突っ張る複数本の弾性アーム片である。このため、攪拌部が三次元方向に動いても、弾性アーム片が被支持体を弾発的に支持することができ蛇腹部の形状を維持することが可能となる。したがって攪拌部が粘性流体を攪拌して優れた振動減衰効果を発揮できる。また弾性アーム片に、これら弾性アーム片の一端を連結するリング部を備えれば、リング部を攪拌部に挿嵌するだけで、簡単に弾性アーム片を装着できる。さらに攪拌部の対向面を構成する壁部と一体にすれば、別部材として弾性アーム片を用意する必要がなく、粘性流体封入ダンパーの構成部品を削減できる。
【発明の効果】
【００２１】
本発明の粘性流体封入ダンパーによれば、密閉容器の内部に被支持体の荷重を弾発的に支持する弾性部材を備えているため、従来例のような被支持体を浮動状態にする吊下げばねの使用を廃止したり、支持力に乏しい小さな吊下げばねを使用する場合でも、被支持体を支持することが可能である。よって省スペース化を実現することができ、ディスク装置を小型化するのに寄与できる。また弾性部材は、粘性流体に対して抵抗体となったり粘性流体を攪拌したりして粘性流体の粘性抵抗を生じさせるため、優れた振動減衰効果を発揮できる。
【発明を実施するための最良の形態】
【００２２】
以下、本発明の実施形態の例について図面を参照しつつ説明する。なお、各実施形態で共通する構成については、同一符号を付して重複説明は省略する。
【００２３】
第１実施形態〔図１〜図４〕
第１実施形態の粘性流体封入ダンパー１２は、密閉容器３の内部に粘性流体１０と圧縮コイルばね１３を有する構成である。密閉容器３は、容器本体１４と別体に成形した蓋体１５とを固着して形成したものである。
【００２４】
容器本体１４は、図２で示すように、中空で下端が開口しており、可撓部４、攪拌筒部５、周壁部１６で構成されている。このうち周壁部１６は、熱可塑性樹脂の硬質樹脂で筒状に形成され、上端を可撓部４が閉塞している。可撓部４は、熱可塑性エラストマーのゴム状弾性体でなり圧縮コイルばね１３の弾発的な付勢を受けて上方に伸長している。そして可撓部４には密閉容器３の内部に突出する底付き円筒状で攪拌筒部５が一体形成されている。攪拌筒部５の内面はメカニカルシャーシ６から突出する取付シャフト７を収容する収容凹部１７となっている。また攪拌筒部５の外周面の基端には圧縮コイルばね１３の上端を受ける「当接部」としての環状のリブ１８が突設されている。以上の可撓部４、攪拌筒部５、周壁部１６は二色成形で形成されている。
【００２５】
蓋体１５は、硬質樹脂でなり筐体９に固定する際に取付ねじＮを貫入する孔１５ａが形成されている。蓋体１５は周壁部１６の下端と超音波融着により固着されており、周壁部１６の下端を閉塞している。
【００２６】
圧縮コイルばね１３は、上端の外周より下端の外周が大きい山形タイプであって、上端が前述のようにリブ１８に当接しており、下端は攪拌筒部５の「対向面」となる蓋体１５の内面に当接するとともにその外周が周壁部１６と内接している。
【００２７】
次に、本実施形態の粘性流体封入ダンパー１２を固定したディスク装置１９及び固定した粘性流体封入ダンパー１２を説明する。
【００２８】
ディスク装置１９は、図１で示すように、メカニカルシャーシ６と、メカニカルシャーシ６を内蔵する筐体９と、メカニカルシャーシ６と筐体９の間に介在する粘性流体封入ダンパー１２とで構成されている。従来例の図２０で示すような吊下げばね１１は備えていない。
【００２９】
粘性流体封入ダンパー１２は、ディスク装置１９に固定されると、メカニカルシャーシ６の荷重を受けて圧縮コイルばね１３が圧縮し、伸びていた可撓部４が図４で示すような原形状に復元して蛇腹部２０を形成する。
【００３０】
次に、粘性流体封入ダンパー１２を構成する各部材の材質を説明する。なお、以下の説明は後述の各実施形態についても共通である。
【００３１】
可撓部４、攪拌筒部５を構成する「ゴム状弾性体」の材質は、減衰効果を有する合成ゴム、熱可塑性エラストマーが好ましい。例えば、合成ゴムは、ブチルゴム、スチレンブタジエンゴム、クロロプレンゴム、ニトリルゴム、ウレタンゴム、シリコーンゴム、フッ素ゴム、アクリルゴム等が挙げられ、熱可塑性エラストマーは、スチレン系熱可塑性エラストマー、オレフィン系熱可塑性エラストマー、ウレタン系熱可塑性エラストマー、塩化ビニル系熱可塑性エラストマー等が挙げられる。
【００３２】
蓋体１５、周壁部１６を構成する「硬質樹脂」の材質は、機械的強度、耐熱性、耐久性、寸法精度、信頼性等の要求性能、及び軽量化や加工性により、熱可塑性樹脂が好ましい。例えば、ポリエチレン樹脂、ポリプロピレン樹脂、ポリ塩化ビニル樹脂、ポリスチレン樹脂、アクリロニトリル・スチレン・アクリレート樹脂、アクリロニトリル・ブタジエン・スチレン樹脂、ポリアミド樹脂、ポリアセタール樹脂、ポリカーボネート樹脂、ポリエチレンテレフタレート樹脂、ポリブチレンテレフタレート樹脂、ポリフェニレンオキサイド樹脂、ポリフェニレンエーテル樹脂、ポリフェニレンサルファイド樹脂、ポリウレタン樹脂、液晶ポリマー等の熱可塑性樹脂、あるいはこれらの複合樹脂が挙げられる。熱可塑性樹脂に粉末形状や繊維形状の金属、ガラス、フィラー等の充填剤を添加し、寸法精度や耐熱性の更なる向上もできる。なお、硬質樹脂に熱可塑性樹脂を用いてゴム状弾性体に熱可塑性エラストマーを用いた場合、二色成形が可能となる。
【００３３】
粘性流体１０の材質は、液体、あるいは液体に反応、溶解しない固体粒子を添加したものが好ましい。例えば、シリコーン系オイル、パラフィン系オイル、エステル系オイル、液状ゴム等の液体、あるいはこれら液体に反応、溶解しない固体粒子を添加したものが挙げられる。なかでも、液体として、温度依存性、耐熱性、信頼性等の要求性能により、シリコーン系オイルが好ましく、具体的には、ジメチルシリコーンオイル、メチルフェニルシリコーンオイル、メチルハイドロジェンシリコーンオイル、フッ素変性シリコーンオイル等が挙げられ、これらシリコーン系オイルに反応、溶解しない固体粒子としては、シリコーンレジン粉末、ポリメチルシルセスキオキサン粉末、湿式シリカ、乾式シリカ、ガラスビーズ、ガラスバルーン等、又はこれらの表面処理品等が挙げられ、これらを単独もしくは複数組合せて用いる。
【００３４】
圧縮コイルばね１３の材質は、弾性力が衰えにくく粘性流体に溶解しないものが使用される。例えば金属製、セラミック製、樹脂製のものを使用することができる。
【００３５】
次に、本実施形態の作用・効果を説明する。
【００３６】
粘性流体封入ダンパー１２によれば、密閉容器３の内部にメカニカルシャーシ６の荷重を弾発的に支持する圧縮コイルばね１３を備えている。このため、図２０で示す従来例のような吊下げばね１１を併用しなくても、メカニカルシャーシ６を支持することが可能である。よって吊下げばね１１の取付スペースを削除でき、ディスク装置１９を小型化するのに寄与できる。また圧縮コイルばね１３は、粘性流体１０に対して抵抗体となったり粘性流体１０を攪拌したりして粘性流体１０の粘性抵抗を生じさせるため、優れた振動減衰効果を発揮できる。
【００３７】
また本発明によれば、密閉容器３をメカニカルシャーシ６と筐体９に固定すると、可撓部４が原形状に復元して蛇腹部２０を形成する。このため、攪拌筒部５が蛇腹部２０によって浮動支持されて三次元方向へ無理なく動くことができる。こうして攪拌筒部５が粘性流体１０を攪拌することで優れた振動減衰効果を発揮できる。
【００３８】
攪拌筒部５の外周の基端に、圧縮コイルばね１３の上端を受ける環状のリブ１８を突設している。圧縮コイルばね１３が可撓部４と直接接触していると圧縮コイルばね１３と可撓部４の擦れによって可撓部４を破損するおそれがあるが、圧縮コイルばね１３が環状のリブ１８に接触しているため圧縮コイルばね１３による可撓部４の破損のおそれを回避できる。よって、可撓部４の耐久性を高めることができる。
【００３９】
圧縮コイルばね１３は、三次元方向に対して弾性的な支持力を発揮できる。このため攪拌筒部５が三次元方向に動いても、メカニカルシャーシ６を弾性支持でき、蛇腹部２０の形状を維持することが可能となる。よって攪拌筒部５が粘性流体１０を攪拌して優れた振動減衰効果を発揮できる。
【００４０】
また圧縮コイルばね１３の下端が周壁部１６に内接している。つまり、圧縮コイルばね１３の下端の動きが周壁部１６により規制されている。このため、密閉容器３が振幅を受けて大きく変形しても、圧縮コイルばね１３の下端が蓋体１５の内面上で滑ることがなく、圧縮コイルばね１３がメカニカルシャーシ６の荷重を支持できる。よって蛇腹部２０の形状を維持でき、攪拌筒部５が粘性流体を攪拌して優れた振動減衰効果を発揮できる。
【００４１】
第２実施形態〔図５，図６〕
第２実施形態の粘性流体封入ダンパー２１が、第１実施形態の粘性流体封入ダンパー１２と異なるのは、リブ１８と攪拌筒部２２の構成である。残余の構成は第１実施形態と同じである。
【００４２】
攪拌筒部２２は、ゴム状弾性体でなる攪拌筒部５の外面に硬質樹脂でなる被覆部２３を設けている。この被覆部２３のうち攪拌筒部５の基端側には、圧縮コイルばね１３の上端を受ける「当接部」としての環状のリブ１８が突設されている。
【００４３】
ディスク装置１９に固定した粘性流体封入ダンパー２１は、第１実施形態の粘性流体封入ダンパー１２と同様であり、メカニカルシャーシ６の荷重を受けて圧縮コイルばね１３が圧縮し、伸びていた可撓部４が図４で示すような原形状に復元して蛇腹部２０を形成する。
【００４４】
第２実施形態の粘性流体封入ダンパー２１は、第１実施形態の粘性流体封入ダンパー１２と同様に、圧縮コイルばね１３でメカニカルシャーシ６を支持することで吊下げばね１１を廃止しディスク装置１９の小型化に寄与でき、攪拌筒部２２を蛇腹部２０によって浮動支持することで優れた振動減衰効果を発揮できるほか、さらに次の作用・効果を発揮する。
【００４５】
粘性流体封入ダンパー２１によれば、リブ１８が硬質樹脂でなるため、リブ１８に剛性があり、圧縮コイルばね１３との接触によるリブ１８の破損を防止できる。よって密閉容器３の耐久性を高めることができる。
【００４６】
被覆部２３は、剛性があり攪拌筒部５の外面が保護されるため、圧縮コイルばね１３との接触による攪拌筒部５の破損を防止できる。また収容凹部１７が取付シャフト７によってメカニカルシャーシ６の荷重を受けるが、被覆部２３が収容凹部１７を外面から保護しているため、収容凹部１７が変形せず収容凹部１７の破損を防止できる。また、仮に収容凹部１７に破損が生じても被覆部２３によって覆われているので収容凹部１７への粘性流体１０の液洩れを防止できる。
【００４７】
第３実施形態〔図７，図８〕
第３実施形態の粘性流体封入ダンパー２４が、第２実施形態の粘性流体封入ダンパー２１と異なるのは、攪拌筒部２２の「当接部」としての係止溝２５の構成と圧縮コイルばね１３の下端外周が周壁部１６に接していない点である。残余の構成は第２実施形態と同じである。
【００４８】
攪拌筒部２２は、第２実施形態の粘性流体封入ダンパー２１と同様に、攪拌筒部５の外周面に被覆部２３を設けているが、被覆部２３のうち攪拌筒部５の基端側には「当接部」としての環状の係止溝２５が形成されている。
【００４９】
圧縮コイルばね１３は上端が係止溝２５に係止しており、下端は攪拌筒部２２との「対向面」となる蓋体１５の内面に当接している。
【００５０】
ディスク装置１９に固定した粘性流体封入ダンパー２４は、第２実施形態の粘性流体封入ダンパー２１と同様であり、メカニカルシャーシ６の荷重を受けて圧縮コイルばね１３が圧縮し、伸長していた可撓部４が図４で示すような原形状に復元して蛇腹部２０を形成する。
【００５１】
第３実施形態の粘性流体封入ダンパー２４は、第２実施形態の粘性流体封入ダンパー２１と同様に、圧縮コイルばね１３でメカニカルシャーシ６を支持することで吊下げばね１１を廃止しディスク装置１９の小型化に寄与でき、攪拌筒部２２を蛇腹部２０によって浮動支持することで優れた振動減衰効果を発揮でき、被覆部２３で収容凹部１７の破損を防止できるほか、さらに次の作用・効果を発揮する。
【００５２】
粘性流体封入ダンパー２４によれば、「当接部」が係止溝２５であるため、圧縮コイルばね１３の上端を確実に固定することができる。よって密閉容器３が振幅を受けて大きく変形しても、圧縮コイルばね１３の上端が係止溝２５から外れず、圧縮コイルばね１３は確実にメカニカルシャーシ６の荷重を支持できる。したがって蛇腹部２０の形状を維持でき、攪拌筒部２２が粘性流体１０を攪拌して優れた振動減衰効果を発揮できる。
【００５３】
第４実施形態〔図９，図１０〕
第４実施形態の粘性流体封入ダンパー２６が、第２実施形態の粘性流体封入ダンパー２１と異なるのは、圧縮コイルばね２７の構成である。残余の構成は第２実施形態と同じである。
【００５４】
圧縮コイルばね２７は、前述の圧縮コイルばね１３と同様に山形タイプであるが、下端及び下端側の外周が周壁部１６に内接している。
【００５５】
ディスク装置１９に固定した粘性流体封入ダンパー２６は、第２実施形態の粘性流体封入ダンパー２１と同様であり、メカニカルシャーシ６の荷重を受けて圧縮コイルばね２７が圧縮し、伸長していた可撓部４が図４で示すような原形状に復元して蛇腹部２０を形成する。
【００５６】
第４実施形態の粘性流体封入ダンパー２６は、第２実施形態の粘性流体封入ダンパー２１と同様に、圧縮コイルばね２７でメカニカルシャーシ６を支持することで吊下げばね１１を廃止しディスク装置１９の小型化に寄与でき、攪拌筒部２２を蛇腹部２０によって浮動支持することで優れた振動減衰効果を発揮でき、リブ１８で密閉容器３の耐久性を高めることができ、被覆部２３で収容凹部１７の破損を防止できるほか、さらに次の作用・効果を発揮する。
【００５７】
粘性流体封入ダンパー２６によれば、圧縮コイルばね２７の下端及び下端側の外周が周壁部１６に内接しているため、第１〜第３実施形態の圧縮コイルばね１３に比べてより上端の近くまで動きが規制される。よって圧縮コイルばね２７の軸心に対する横方向の弾性力が前述の圧縮コイルばね１３よりも強くなり、圧縮コイルばね２７の上端側が静止状態の初期位置からぶれにくく、またぶれたとしても早期に初期位置へと復帰させてメカニカルシャーシ６の荷重を支持することが可能である。したがって蛇腹部２０の形状を維持し易く、攪拌筒部２２が粘性流体１０を攪拌して優れた振動減衰効果を発揮できる。
【００５８】
第５実施形態〔図１１，図１２〕
第５実施形態の粘性流体封入ダンパー２８が、第２実施形態の粘性流体封入ダンパー２１と異なるのは、蓋体１５の構成と圧縮コイルばね１３の下端外周が周壁部１６に接していない点である。残余の構成は第２実施形態と同じである。
【００５９】
蓋体１５は、密閉容器３の内面に「係合部」としての係合溝２９を形成している。この係合溝２９には圧縮コイルばね１３の下端が係合している。
【００６０】
ディスク装置１９に固定した粘性流体封入ダンパー２８は、第２実施形態の粘性流体封入ダンパー２１と同様であり、メカニカルシャーシ６の荷重を受けて圧縮コイルばね１３が圧縮し、伸長していた可撓部４が図４で示すような原形状に復元して蛇腹部２０を形成する。
【００６１】
第５実施形態の粘性流体封入ダンパー２８は、第２実施形態の粘性流体封入ダンパー２１と同様に、圧縮コイルばね１３でメカニカルシャーシ６を支持することで吊下げばね１１を廃止しディスク装置１９の小型化に寄与でき、攪拌筒部２２を蛇腹部２０によって浮動支持することで優れた振動減衰効果を発揮でき、リブ１８で密閉容器３の耐久性を高めることができ、被覆部２３で収容凹部１７の破損を防止できるほか、さらに次の作用・効果を発揮する。
【００６２】
粘性流体封入ダンパー２８によれば、圧縮コイルばね１３の下端が係合溝２９に係合しているため、三次元方向にメカニカルシャーシ６の荷重がかかっても、圧縮コイルばね１３の下端が蓋体１５の内面で滑ることがなく、圧縮コイルばね１３がメカニカルシャーシ６の荷重を支持できる。よって蛇腹部２０の形状を維持でき、攪拌筒部２２が粘性流体１０を攪拌して優れた振動減衰効果を発揮できる。
【００６３】
第６実施形態〔図１３〜図１５〕
第６実施形態の粘性流体封入ダンパー３０が、第１実施形態の粘性流体封入ダンパー１２と異なるのは、蓋体３１の構成と圧縮コイルばね１３の使用を廃止している点である。残余の構成は第１実施形態と同じである。
【００６４】
蓋体３１には、密閉容器３の内面から対向する攪拌筒部５の基端に突設したリブ１８に向かって弾性アーム片３２が形成されている。本実施形態では、図１５で示すように、弾性アーム片３２は４本あり、これらの先端はリング３３で連結されている。このリング３３には攪拌筒部５が挿嵌されており、リブ１８に当接している。本実施形態ではこのような４本の弾性アーム片３２及びリング３３が「弾性部材」を構成している。そして弾性アーム片３２が弾発的に突っ張ることで可撓部４を上方へ伸長させている。
【００６５】
ディスク装置１９に固定した粘性流体封入ダンパー３０は、第１実施形態の粘性流体封入ダンパー１２と同様であり、メカニカルシャーシ６の荷重を受けて弾性アーム片３２が湾曲し、伸長していた可撓部４が図４で示すような原形状に復元して蛇腹部２０を形成する。
【００６６】
第６実施形態の粘性流体封入ダンパー３０は、第１実施形態の粘性流体封入ダンパー１２と同様に、攪拌筒部５を蛇腹部２０によって浮動支持することで優れた振動減衰効果を発揮でき、リブ１８で密閉容器３の耐久性を高めることができるほか、さらに次の作用・効果を発揮する。
【００６７】
粘性流体封入ダンパー３０によれば、密閉容器３の内部にメカニカルシャーシ６の荷重を弾発的に支持する弾性アーム片３２を備えている。このため、図２０で示す従来例のような吊下げばね１１を併用しなくても、メカニカルシャーシ６を支持することが可能である。よって吊下げばね１１の取付スペースが削除でき、ディスク装置１９を小型化するのに寄与できる。また弾性アーム片３２は、粘性流体１０に対して抵抗体となって粘性流体１０の粘性抵抗を生じるため、優れた振動減衰効果を発揮できる。
【００６８】
４本の弾性アーム片３２は、先端がリング３３で連結されているため、相互に影響しながら一体物としてメカニカルシャーシ６を支持する。このため、攪拌筒部５が三次元方向に動いても、弾性アーム片３２がメカニカルシャーシ６を弾性的に支持することができ、蛇腹部２０の形状を維持することが可能となる。したがって攪拌筒部５が粘性流体１０を攪拌して優れた振動減衰効果を発揮できる。また弾性アーム片３２はリング３３を攪拌筒部５に挿嵌するだけで簡単に装着することができる。
【００６９】
また、弾性アーム片３２は、攪拌筒部５の対向面を構成する蓋体１５と一体であるため、密閉容器３が振幅を受けて大きく変形しても、蓋体１５の内面上で滑ることがなく、弾性アーム片３２がメカニカルシャーシ６の荷重を支持できる。よって蛇腹部２０の形状を維持でき、攪拌筒部５が粘性流体を攪拌して優れた振動減衰効果を発揮できる。さらに別部材として弾性アーム片３２を用意する必要がなく、粘性流体封入ダンパー３０の構成部品を削減できる。
【００７０】
第７実施形態〔図１６〜図１８〕
第７実施形態の粘性流体封入ダンパー３４が、第１実施形態の粘性流体封入ダンパー１２と異なるのは、容器本体１４の可撓部３５の構成である。残余の構成は第１実施形態と同じである。
【００７１】
可撓部３５は、図１８で示すように、ゴム状弾性体でなり内方にくびれる湾曲形状に形成されている。したがって前述の各実施形態の可撓部４のように、ディスク装置１９への非固定時に圧縮コイルばね１３の付勢を受けて上方に伸長しているものとは異なっている。
【００７２】
ディスク装置１９に固定した粘性流体封入ダンパー３４は、メカニカルシャーシ６の荷重を受けて圧縮コイルばね１３が圧縮し、攪拌筒部５が密閉容器３の内方に入り込み内方にくびれる湾曲形状が潰れることで蛇腹部２０を屈曲形成する。
【００７３】
第７実施形態の粘性流体封入ダンパー３４は、第１実施形態の粘性流体封入ダンパー１２と同様に、圧縮コイルばね１３でメカニカルシャーシ６を支持することで吊下げばね１１を廃止しディスク装置１９の小型化に寄与でき、攪拌筒部５を蛇腹部２０によって浮動支持することで優れた振動減衰効果を発揮でき、リブ１８で密閉容器３の耐久性を高めることができるほか、さらに次の作用・効果を発揮する。
【００７４】
粘性流体封入ダンパー３４によれば、密閉容器３の非固定時に可撓部３５が伸長していないため、非固定時の状態で放置されても可撓部３５の強度が劣化し難く、固定（実装）時において可撓部３５が破れ難い。よって可撓部３５の耐久性を維持できる。なお、第２実施形態〜第６実施形形態の各粘性流体封入ダンパーにおいても、本実施形態と同様に可撓部４を可撓部３５に変更する構成が可能である。このときは各実施形態について本実施形態と同様の作用・効果を発揮することができる。
【００７５】
各実施形態に共通の変形例
第１実施形態〜第５実施形態及び第７実施形態では、「弾性部材」として図１９（Ａ）で示すように、山形タイプの圧縮コイルばね１３を例示したが、ストレートタイプ図１９（Ｂ）、樽形タイプ（Ｃ）のものとしてもよい。
【００７６】
第１実施形態〜第７実施形態では吊下げばね１１の使用を完全に廃止するディスク装置１９を例示したが、支持力に乏しい小さな吊下げばね１１を併用して、メカニカルシャーシ６を支持することも可能である。
【図面の簡単な説明】
【００７７】
【図１】第１実施形態の粘性流体封入ダンパーを取付けたディスク装置の説明図。
【図２】第１実施形態の粘性流体封入ダンパーの断面図。
【図３】第１実施形態の粘性流体封入ダンパーの取付け拡大断面図。
【図４】第１実施形態の容器本体の説明図。
【図５】第２実施形態の粘性流体封入ダンパーの断面図。
【図６】第２実施形態の粘性流体封入ダンパーの取付け拡大断面図。
【図７】第３実施形態の粘性流体封入ダンパーの断面図。
【図８】第３実施形態の粘性流体封入ダンパーの取付け拡大断面図。
【図９】第４実施形態の粘性流体封入ダンパーの断面図。
【図１０】第４実施形態の粘性流体封入ダンパーの取付け拡大断面図。
【図１１】第５実施形態の粘性流体封入ダンパーの断面図。
【図１２】第５実施形態の粘性流体封入ダンパーの取付け拡大断面図。
【図１３】第６実施形態の粘性流体封入ダンパーの断面図。
【図１４】第６実施形態の粘性流体封入ダンパーの取付け拡大断面図。
【図１５】第６実施形態の弾性アーム片を一体に設けた蓋体の説明図。
【図１６】第７実施形態の粘性流体封入ダンパーの断面図。
【図１７】第７実施形態の粘性流体封入ダンパーの取付け拡大断面図。
【図１８】第７実施形態の容器本体の説明図。
【図１９】圧縮コイルばねであり、分図（Ａ）は山形タイプ、分図（Ｂ）はストレートタイプ、分図（Ｃ）は樽形タイプの説明図。
【図２０】一従来例のディスク装置の説明図。
【図２１】吊下げばねを併設するディスク装置に取付けた従来例の粘性流体封入ダンパーの拡大断面図。
【図２２】吊下げばねを取除いたディスク装置に取付けた従来例の粘性流体封入ダンパーの拡大断面図。
【符号の説明】
【００７８】
１    粘性流体封入ダンパー（一従来例）
２    ディスク装置
３    密閉容器
４    可撓部
５    攪拌筒部
６    メカニカルシャーシ
７    取付シャフト
８    蓋部
８ａ  孔
９    筐体
１０    粘性流体
１１    吊下げばね
１２    粘性流体封入ダンパー（第１実施形態）
１３    圧縮コイルばね
１４    容器本体
１５    蓋体
１５ａ  孔
１６    周壁部
１７    収容凹部
１８    リブ
１９    ディスク装置
２０    蛇腹部
２１    粘性流体封入ダンパー（第２実施形態）
２２    攪拌筒部
２３    被覆部
２４    粘性流体封入ダンパー（第３実施形態）
２５    係止溝
２６    粘性流体封入ダンパー（第４実施形態）
２７    圧縮コイルばね
２８    粘性流体封入ダンパー（第５実施形態）
２９    係合溝
３０    粘性流体封入ダンパー（第６実施形態）
３１    蓋体
３１ａ  孔
３２    弾性アーム片
３３    リング
３４    粘性流体封入ダンパー（第７実施形態）
３５    可撓部
Ｎ    取付ねじ
【図１】
2007162713.tif 000003
【図２】
2007162713.tif 000004
【図３】
2007162713.tif 000005
【図４】
2007162713.tif 000006
【図５】
2007162713.tif 000007
【図６】
2007162713.tif 000008
【図７】
2007162713.tif 000009
【図８】
2007162713.tif 000010
【図９】
2007162713.tif 000011
【図１０】
2007162713.tif 000012
【図１１】
2007162713.tif 000013
【図１２】
2007162713.tif 000014
【図１３】
2007162713.tif 000015
【図１４】
2007162713.tif 000016
【図１５】
2007162713.tif 000017
【図１６】
2007162713.tif 000018
【図１７】
2007162713.tif 000019
【図１８】
2007162713.tif 000020
【図１９】
2007162713.tif 000021
【図２０】
2007162713.tif 000022
【図２１】
2007162713.tif 000023
【図２２】
2007162713.tif 000024